(57)【特許請求の範囲】
【請求項１】
器物に取付けられる座板を有する固定支持片と、その固定支持片に対して移動自在に設けられた可動支持片と、その可動支持片を固定支持片に向けて押圧するばねと、固定支持片に一端部が支持され、他端部が可動支持片にスライド自在に挿通されたガイド軸と、上記両支持片間に位置する端部がガイド軸を中心に回動自在に設けられたコの字形の取手とから成り、上記取手と可動支持片との対向面、取手と固定支持片の対向面における一方に係合凹部を形成し、他方に取手を起立状態にしたときに上記係合凹部と係合する係合突部を設けた取手の支持構造。
【発明の詳細な説明】
【０００１】
【産業上の利用分野】
この発明は、かばん等に取付けられるコの字形の取手の支持構造に関する。
【０００２】
【従来の技術】
一般に、アタッシュケースや旅行かばん等に取付けられているコの字形の取手は、かばん上面に固定した支持金具によって支持されている。
【０００３】
【発明が解決しようとする課題】
ところで、上記コの字形の取手は支持金具に設けた軸を中心として回動自在に支持されているため、取手から手を放すと、取手は倒れてしまう。このため、次にかばんを持つ時は、取手を起こしながらかばんを持たなければならず、特に、かばんを持つ手に他の荷物を持っている場合などは、取手を起こすのが面倒である。
【０００４】
そこで、この発明の課題は、取手を起立状態に保持可能な取手の支持構造を提供することである。
【０００５】
【課題を解決するための手段】
上記の課題を解決するために、この発明においては、器物に取付けられる座板を有する固定支持片と、その固定支持片に対して移動自在に設けられた可動支持片と、その可動支持片を固定支持片に向けて押圧するばねと、固定支持片に一端部が支持され、他端部が可動支持片にスライド自在に挿通されたガイド軸と、上記両支持片間に位置する端部がガイド軸を中心に回動自在に設けられたコの字形の取手とから成り、上記取手と可動支持片との対向面、取手と固定支持片の対向面における一方に係合凹部を形成し、他方に取手を起立状態にしたときに上記係合凹部と係合する係合突部を設けた構成を採用したのである。
【０００６】
ここで上記器物とは、かばんや家具、あるいはドアなどをいう。
【０００７】
【作用】
上記の構成から成る支持構造において、取手を起立状態に位置させると、可動支持片と取手との対向面、取手と固定支持片の対向面に設けた係合凹部と係合突条が係合する。このとき、可動支持片を固定支持片に向けて押圧するばねによって可動支持片は取手に圧接し、また取手も固定支持片に圧接しているため、各対向面における係合状態は保持され取手は起立状態に保持される。
【０００８】
【実施例】
この発明の実施例を添付図面に基づいて説明する。図１乃至図４に示すように、この発明に係る取手の支持構造は、コの字形の取手１と、その取手１を回動自在に支持する一対の支持具１０とから成る。
【０００９】
支持具１０は、固定支持片１１と可動支持片１２とを有し、固定支持片１１の下部には座板１３が設けられ、その座板１３がねじ１４の締付けによってかばんＡに対して固定される。
【００１０】
座板１３の端部には断面がＴ字形のガイド部１５が形成され、そのガイド部１５によって前記可動支持片１２が固定支持片１１に対して移動自在に支持されている。１６は可動支持片１２の下端部に形成されたガイド孔を示し、上記ガイド部１５と係合している。
【００１１】
上記固定支持片１１の上部には、ガイド軸１７の一端部が固定されている。ガイド軸１７は可動支持片１２に向いて長く延び、その他端部は可動支持片１２に形成した孔１８から、その孔１８と同軸上に設けられた凹所１９内に挿入されている。
【００１２】
上記凹所１９内に位置するガイド軸１７の他端にはフランジ２０が設けられ、そのフランジ２０と凹所１９の底面２１間に組込んだばね２２は、可動支持片１２を固定支持片１１に向けて押圧している。
【００１３】
前記取手１は、手さげ部２の両端部に設けた一対の脚３ａ、３ｂを設けたコの字形とされ、各脚３ａ、３ｂが上記可動支持片１２と固定支持片１１間で上記ガイド軸１７を中心として回動自在に支持されている。このとき、各脚３ａ、３ｂの内面および外面と対向する可動支持片１２および固定支持片１１における各対向面は、上記ばね２２によって圧接状態になっている。
【００１４】
各脚３ａ、３ｂにおける内面および外面には、ガイド軸１７を中心として１８０°の間隔をおいて２つの係合突部４ａ、４ｂが設けられている。
【００１５】
一方脚３ａ、３ｂの内面および外面と圧接している可動支持片１２および固定支持片１１の各面には、上記係合突部４ａ、４ｂが係合する係合凹部２３ａ、２３ｂが９０°の間隔をおいて４箇所の位置に設けられている。
【００１６】
上記係合凹部２３ａ、２３ｂは、取手１が起立した状態および倒れた状態のときに係合突部４ａ、４ｂと係合する位置に設けられている。
【００１７】
実施例のように、各脚３ａ、３ｂの内面および外面に係合突部４ａ、４ｂを設けた取手１においては、図１に示すように一対の支持具１０を同じ向きに取付ける。なお、突部４ａ、４ｂは可動支持片１２との圧接面のみに設けてもよい。この場合、一対の支持具１０は左右対称に取付けることができる。
【００１８】
上記の構成から成る取手の支持構造において、取手１を倒れた状態から起立状態に向けて回動すると、図３に示すように各脚３ａ、３ｂの係合突部４ａ、４ｂが固定支持片１１および回動支持片１２に設けた係合凹部２３ａ、２３ｂから抜け出る。このとき、回動支持片１２はばね２２の弾性に抗して移動する。
【００１９】
さらに、取手１を回動させると、各脚３ａ、３ｂに設けた突部４ａ、４ｂは、固定および可動支持片１１、１２に設けた係合凹部２３ａ、２３ｂと係合する。このとき、各係合部においては、ばね２２の弾性によって圧接状態が保持されるため、取手１１は起立状態に保持される。
【００２０】
このように、取手１から手を放してもばね２２の押圧力により係合状態が保持されるため、取手１は倒れることがない。また、取手１を倒した状態においても保持することができるため、空港などにおけるかばんの搬送時において邪魔にならず破損の心配もない。
【００２１】
なお、実施例の場合、取手１に係合突部４ａ、４ｂを設けたものを示したが、突部４ａ、４ｂを可動支持片１２と固定支持片１１に設け、係合凹所２３ａ、２３ｂを取手１に設けるようにしてもよい。
【００２２】
また、突部４ａ、４ｂを各面に２ヶ所設け、その突部４ａ、４ｂを係合する凹部２３ａ、２３ｂを固定および可動支持片１１、１２の各面に４ヶ所設けた状態を示したが、各面の突部を１ヶ所にして、その突部を係合する凹部を２ヶ所設けるようにしてもよい。
【００２３】
さらに実施例では、かばんに取付けられる取手について示したが、これに限定されるものではなく、家具やドア等の取手に用いることができる。
【００２４】
【効果】
以上のように、この発明に係る取手の支持構造においては、取手を回動自在に支持する支持具を可動支持片と固定支持片とで形成し、取手と可動支持片の対向面、取手と固定支持片の対向面における一方に係合凹部を形成し、他方に取手を起立状態にした場合に係合凹部と係合する係合突部を設けると共に、可動支持片を常に固定支持片に向けて押圧するばねを設けたので、係合時においてばねの押圧力によって係合状態が保持される。
【００２５】
このため取手を起立状態に保持することができ、かばんを再度持つ場合においても、スムーズに取手に手を掛けることができる。
【図面の簡単な説明】
【図１】この発明に係る取手の支持構造をかばんに取付けた状態を示す正面図
【図２】同上の一部拡大断面図
【図３】同上の作用図を示す一部拡大断面図
【図４】同上の分解斜視図
【符号の説明】
１  取手
４ａ、４ｂ  係合突部
１１  固定支持片
１２  可動支持片
１３  座板
１７  ガイド軸
２２  ばね
２３ａ、２３ｂ  係合凹部
【図１】
0003592777.tif 000002
【図２】
0003592777.tif 000003
【図３】
0003592777.tif 000004
【図４】
0003592777.tif 000005